(57)【要約】【課題】設置及び撤去が容易に行え、騒音発生源を収容するための空間の構成がより確かなものとなる仮設遮音装置を提供することを課題とする。【解決手段】上記課題を解決するために、複数の略逆Ｕ字状のゲート柱と、これらゲート柱によりトンネル状スペースが構成されるように相互のゲート柱を連結する連結部材と、これらゲート柱に架設される遮音効果を有する幌と、からなる仮設遮音装置であって、前記連結部材は、トンネル状スペースが伸縮自在となるように相互のゲート柱を連結する伸縮連結手段と、相互のゲート柱の間隔を所定間隔に固定するための固定連結手段と、を有する仮設遮音装置などを提供する。【選択図】図１
2014040735.tif 000002
【特許請求の範囲】
【請求項１】
複数の略逆Ｕ字状のゲート柱と、
これらゲート柱によりトンネル状スペースが構成されるように相互のゲート柱を連結する連結部材と、
これらゲート柱に架設される遮音効果を有する幌と、
からなる仮設遮音装置であって、
前記連結部材は、
トンネル状スペースが伸縮自在となるように相互のゲート柱を連結する伸縮連結手段と、
相互のゲート柱の間隔を所定間隔に固定するための固定連結手段と、
を有する仮設遮音装置。
【請求項２】
前記固定連結手段は、隣接するゲート柱に対して架橋する架橋棒であって、各ゲート柱のトンネル状スペース側に配置される請求項１に記載の仮設遮音装置。
【請求項３】
前記伸縮連結手段は、パンタグラフ状骨組みを有し、最も伸縮連結手段を縮めた状態でゲート柱間を所定間隔とするように各ゲート柱には当止手段を有する請求項１又は２に記載の仮設遮音装置。
【請求項４】
前記伸縮連結手段のパンタグラフの支点を支える可動支持手段はパンタグラフの上側支点を支持するように配置される請求項１から３のいずれか一に記載の仮設遮音装置。
【発明の詳細な説明】
【技術分野】
【０００１】
本発明は、遮音効果を有する幌を被せた伸縮自在のトンネル状のスペースを構成する仮設遮音装置に関する。
【背景技術】
【０００２】
水道管やガス管などの埋設工事や舗装工事などの各種の工事が路上で行われているが、その際、近隣住民などへの配慮として工事により生じる騒音を抑制することが求められている。騒音を抑制するための技術として、例えば、特許文献１に記載の技術がある。
【０００３】
この技術は、内部に空気を充填することのできる棒状の袋体を複数連設してトンネル状のドームを形成するものである。ドームにより形成される空間内に騒音発生源を収容することで、工事に伴い生じる騒音を周囲に漏らさないようにするものである。また、充填した空気を抜き取ることで、ドームの折り畳みが可能となる。
【先行技術文献】
【特許文献】
【０００４】
【特許文献１】特開２００８−１９６２１６５号公報
【発明の概要】
【発明が解決しようとする課題】
【０００５】
上記のドームについては以下の課題が存在する。まず、棒状袋体への空気の充填や抜き取りには少なからぬ時間を要し、また、そのための装置が必要となる場合がある。したがって、設置及び撤去を簡易かつ速やかに行うことは容易ではない。
【０００６】
また、工事箇所を収容するための空間の構成は、空気が充填された棒状袋体にのみ依っているため、棒状袋体が損傷等した場合には空気が抜けてしまい当該空間を保つことができなくなる場合が生じる。当該空間内で工事を行う者の安全を鑑みると、当該空間の構築が確かなものであることが望ましい。
【課題を解決するための手段】
【０００７】
そこで、上記課題を解決するために本発明において、以下の仮設遮音装置を提供する。すなわち、第一の発明としては、複数の略逆Ｕ字状のゲート柱と、これらゲート柱によりトンネル状スペースが構成されるように相互のゲート柱を連結する連結部材と、これらゲート柱に架設される遮音効果を有する幌と、からなる仮設遮音装置であって、前記連結部材は、トンネル状スペースが伸縮自在となるように相互のゲート柱を連結する伸縮連結手段と、相互のゲート柱の間隔を所定間隔に固定するための固定連結手段と、を有する仮設遮音装置を提供する。
【０００８】
第二の発明としては、前記固定連結手段は、隣接するゲート柱に対して架橋する架橋棒であって、各ゲート柱のトンネル状スペース側に配置される第一の発明に記載の仮設遮音装置を提供する。
【０００９】
第三の発明としては、前記伸縮連結手段は、パンタグラフ状骨組みを有し、最も伸縮連結手段を縮めた状態でゲート柱間を所定間隔とするように各ゲート柱には当止手段を有する第一の発明又は第二の発明に記載の仮設遮音装置を提供する。
【００１０】
第四の発明としては、前記伸縮連結手段のパンタグラフの支点を支える可動支持手段はパンタグラフの上側支点を支持するように配置される第一の発明から第三の発明のいずれか一に記載の仮設遮音装置を提供する。
【発明の効果】
【００１１】
本発明により、設置及び撤去が容易に行え、騒音発生源を収容するための空間の構成がより確かなものとなる仮設遮音装置を提供することができる。
【図面の簡単な説明】
【００１２】
【図１】実施形態１の仮設遮音装置の概念図
【図２】実施形態１の略逆Ｕ字状のゲート柱の概念図
【図３】実施形態１の連結部材の一例を示す概念図
【図４】実施形態１のトンネル状スペースを上方から視た概念図
【図５】実施形態３の伸縮連結手段の一例を示す概念図
【図６】実施形態２の固定連結手段の一例を示す概念図
【図７】実施形態３の連結手段及び当止手段の一例を示す概念図
【発明を実施するための形態】
【００１３】
以下、本発明の実施の形態について、添付図面を用いて説明する。なお、本発明は、これら実施形態に何ら限定されるべきものではなく、その要旨を逸脱しない範囲において、種々なる態様で実施し得る。
【００１４】
実施形態１は、主に請求項１などに関する。実施形態２は、主に請求項２などに関する。実施形態３は、主に請求項３及び請求項４などに関する。
<実施形態１>
<実施形態１  概要>
【００１５】
本実施形態に係る仮設遮音装置の概念図を図１に示す。図１の左図は、伸ばした状態の仮設遮音装置である。仮設遮音装置（０１０１）は、複数の略逆Ｕ字状のゲート柱（０１０２）を連結し、ゲート柱に幌（０１０３）を架設することで、遮音効果を備えるトンネル状スペースが構成される。このように構成されるトンネル状スペースで工事箇所を覆うことで周囲への騒音の拡散を抑えることができる。また、複数のゲート柱を連結することでトンネル状スペースを構築しているので、このスペースは比較的堅固なものとなる。さらに、複数のゲート柱相互の間隔を伸縮自在に連結しているので、右図に示すように、ゲート柱相互の間隔を縮めることで仮設遮音装置（０１０４）をコンパクトにすることができ、撤去や運搬等を容易に行うことができる。
<実施形態１  構成>
【００１６】
図２は、本実施形態の逆Ｕ字状のゲート柱の一例を示すものである。「ゲート柱」（０２０１）は、鉄、アルミニウムなどの金属であることが好ましい。このゲート柱を複数連結して工事等を行う空間となるトンネル状スペースを構成するため、相応の強度を得ることのできる材料を用いることが好ましいからである。また、地面と接するゲート柱の両端部分には車輪（０２０２）を設けてもよい。工事箇所は工事の進捗に応じて移動する場合が多い。そこで、車輪を設けることで、工事箇所の移動に応じて動かしやすくすることができる。ここで、逆Ｕ字状のゲート柱の部分について、説明の便宜を図るために名称を付す。まず、図２において、車輪が設けられている端部から屈曲する箇所までの部分を「トンネル状スペースの側面を構成するための部分」とする。また、トンネル状スペースの側面は２面構成されるので、それぞれを「トンネル状スペースの一の側面」と「トンネル状スペースの他の側面」と称する。そして、「トンネル状スペースの一の側面を構成するための部分」と「トンネル状スペースの他の側面を構成するための部分」との間の部分を、「トンネル状スペースの天井を構成する部分」とする。これらの名称は、本明細書の全体を通じて用いることとする。
【００１７】
トンネル状スペースは、複数のゲート柱を連結部材によって相互に連結することにより構成される。ゲート柱の高さ（ｈ）及び幅（ｗ）が、トンネル状スペースの出入口の大きさを画定する。この高さと幅は、工事等を行い得るスペースを確保しつつ必要以上に路面などを占有しないように適宜定めることが好ましい。例えば、高さを２０００ｍｍ程度とし、幅を１８００ｍｍ程度とした場合には、路肩や歩道などでの工事に好適なトンネル状スペースを構成することができる。
【００１８】
連結部材は、トンネル状スペースが伸縮自在となるように相互のゲート柱を連結する伸縮連結手段と、相互のゲート柱の間隔を所定間隔に固定するための固定連結手段と、を有する。図３を用いて連結部材の説明を行う。
【００１９】
図３は、連結部材を構成する伸縮連結手段と固定連結手段の一例を示す概念図である。一のゲート柱（０３０１）に、伸縮連結手段を構成する一の棒状部材（０３０３）の一端が回動自在に取り付けられている。そして、一のゲート柱に隣接する他のゲート柱（０３０２）にも、伸縮連結手段を構成する他の棒状部材（０３０４）の一端が回動自在に取り付けられている。そして、一の棒状部材の他端と他の棒状部材の他端とが軸（０３０５）などにより回動自在に連結されている。このように伸縮連結手段を構成することにより、一のゲート柱と隣接する他のゲート柱との相互の間隔を伸縮自在とすることができ、結果的にトンネル状スペースを伸縮自在とすることができる。
【００２０】
また、固定連結手段の機能は、例えば、軸によって連結された一の棒状部材と他の棒状部材との回動を、所定箇所にて規制することで実現される。図３においては、他の棒状部材（０３０４）の他端側に止め部材（０３０６）を設けることで、一の棒状部材と他の棒状部材との回動が、両者が略直線をなす箇所にて規制される。これにより、一のゲート柱と他のゲート柱との間隔が所定間隔に固定される。なお、止め部材により規制された状態を保持するためのロック機構をさらに備えてもよい。
【００２１】
さらに、図４に示すように、回動自在に結合された２本の棒状部材よりなる伸縮連結手段を隣接するゲート柱の間に複数設けてもよい。このように構成することで、伸縮を段階的に行うことができる。
【００２２】
このような連結部材は、ゲート柱において、トンネル状スペースの一の側面を構成する部分及びトンネル状スペースの他の側面を構成する部分のいずれにも設けられる。そして、上記一の側面を構成する部分に設けられる連結部材と、上記他の側面を構成する部分に設けられる連結部材の伸縮を互いに異ならしめることにより、トンネル状スペースを蛇腹のように曲げることもできる。このような例を図５に示す。
【００２３】
図５は、トンネル状スペースを上方から視た概念図である。図５（ａ）は、最も伸ばした状態のトンネル状スペース（０５０１）を示しており、隣接するゲート柱（０５０２、０５０３）相互の間隔は略一定となっている。したがって、トンネル状スペースは略直線状に構成される。図５（ｂ）は、トンネル状スペースの一方の側面側の伸縮連結手段を縮めることにより、曲線状のトンネル状スペースとしたものである。このような態様で用いるためには、ゲート柱に設けられる車輪は全方位に自在に回転するものが好ましい。
【００２４】
ゲート柱に架設される幌は、遮音効果を有する。幌は、伸縮自在に連結されるゲート柱に架設されるので、幌自体が伸縮性や柔軟性を備えることが好ましい。遮音効果を有する幌の材料としては、例えば、塩化ビニルなどの合成樹脂や合成樹脂に金属粉を含ませたものを用いることができる。また、工事等を安全に行うために防炎、防燃の効果を併せて有することも好ましい。また、熱遮蔽や放射線遮蔽などの効果をも有するものであってもよい。
【００２５】
幌の架設は、連結されたゲート柱により構成されるトンネル状スペースを外側から覆うように行われることが好ましい。また、このように架設することにより、歩行者などが仮設遮音装置と接触した場合であっても、ゲート柱や連結部材などに直接触れることがなく、損傷を負う可能性を低減させることができる。さらに、幌をゲート柱に架設するには、ボルトやネジなどの手段によらず、接着などのようにゲート柱に突起を生じさせない手段を用いてもよい。このように架設することにより、より一層歩行者などに対する安全を講じることができる。なお、トンネル状スペースの出入り口に該当する箇所をも覆われるように幌を架設することが好ましい。
<実施形態１  効果>
【００２６】
本実施形態の仮設遮音装置により、騒音発生源を収容するための空間を簡易に構築することができる。
<実施形態２>
<実施形態２  概要>
【００２７】
本実施形態の仮設遮音装置は実施形態１を基本とし、固定連結手段を隣接するゲート柱に対して架橋する架橋棒により構成するとともに、トンネル状スペース側に配置するものである。このように構成することで、ゲート柱相互の間隔を所定間隔にするための操作を行いやすくすることができるとともに、固定連結手段と幌との接触を少なくすることで幌を傷つけることを抑止することができる。
<実施形態２  構成>
【００２８】
本実施形態の固定連結手段は、隣接するゲート柱に対して架橋する架橋棒であって、各ゲート柱のトンネル状スペース側に配置される。図６は、本実施形態に係る固定連結手段の一例を示す概念図である。この図では、伸縮連結手段の図示を省略する。
【００２９】
まず、図６（ａ）はゲート柱の間隔を固定していない状態を示している。「架橋棒」（０６０２）は、ゲート柱（０６０１）にボルト、ネジ、リベットなどの止め具（０６０３）を用いて、その一端にて回動自在となるように取り付けられる。そして、架橋棒の他端（０６０４）は鉤状に形成されている。隣接するゲート柱（０６０５）にも同様に架橋棒（０６０６）が取り付けられている。
【００３０】
そして、図６（ｂ）はゲート柱の間隔を固定した状態を示すものである。ゲート柱（０６０１）に備わる架橋棒（０６０２）は、隣接するゲート柱（０６０５）における止め具（０６０７）に鉤状の端部を掛けることによって架橋する。なお、隣接するゲート柱（０６０５）に備わる架橋棒（０６０６）は、さらに隣接するゲート柱（図示せず）に対して架橋する。
【００３１】
図６（ｃ）は、図６（ｂ）に示した視線方向から固定連結手段などを幌とともに示した概念図である。図示するように、ゲート柱（０６０１）に備わる架橋棒（０６０２）の鉤状の端部が、隣接するゲート柱（０６０５）の止め具（０６０７）に掛けられる。そして、隣接するゲート柱の架橋棒（０６０６）は、さらに隣接するゲート柱に対して架橋する。そして、架橋棒や止め具はトンネル状スペース側に配置されるので、幌（０６０８）とはゲート柱により隔てられる。したがって、止め具は無論のこと架橋棒についても、幌とほとんど接触することがなく、幌を傷つけることを防止することができる。また、架橋棒と幌とが干渉しないため、架橋の操作がやりやすい。
<実施形態２  効果>
【００３２】
本実施形態の仮設設遮音装置により、トンネル状スペースを伸縮させる操作を行いやすくするとともに、幌が傷つくことを防止することが可能となる。
<実施形態３>
<実施形態３  概要>
【００３３】
本実施形態は実施形態１又は２を基本とし、伸縮連結手段がパンタグラフ状の骨組みを有するとともに、この骨組みに過度な力が作用しないようにするための当止手段とを有するものである。
<実施形態３  構成>
【００３４】
本実施形態における伸縮連結手段は、パンタグラフ状骨組みを有する。また、各ゲート柱は、最も伸縮連結手段を縮めた状態でゲート柱間を所定間隔とするための当止手段を有する。ここで、「パンタグラフ状骨組み」とは、棒状部材を結合させることで伸縮を可能とする機構であって、電車の集電装置やジャッキ工具などに利用されている機構のことである。
【００３５】
図７は、パンタグラフ状骨組みを有する連結手段及び当止手段の一例を示す概念図であり、図７（ａ）はゲート柱相互の間隔を伸ばした状態を示し、図７（ｂ）は、ゲート柱相互の間隔を縮めた状態を示すものである。なお、説明の便宜のため２つのゲート柱相互の伸縮に限り図示する。この例においては、中心軸（０７０９）にて相互に結合される２本の棒状部材（０７０３、０７０４）が、２つのゲート柱（０７０１、０７０２）に支持されている。
【００３６】
まず、一のゲート柱（０７０１）には、棒状部材を支持する支点の位置が変動しない不動支持手段（０７０５）と、棒状部材を支持する支点がスライドする可動指示手段（０７０６）とが備わる。また、隣接するゲート柱（０７０２）にも同様に不動支持手段と可動支持手段とが備わる。そして、相互に結合される棒状部材のうちの一のゲート柱の不動支持手段により一端が支持される棒状部材（０７０３）は、その他端にて隣接するゲート柱の可動支持手段（０７０７）により支持される。一方、一のゲート柱の可動支持手段により一端が支持される棒状部材（０７０４）は、その他端にて隣接するゲート柱の不動支持手段（０７０８）により支持される。以上のような構成において、可動支持手段により支点のスライドが許容されることで、ゲート柱相互の間隔の伸縮が可能となる。なお、架橋棒（０７１２）については説明済みである。伸縮連結手段を以上のような構成とすることで、トンネル状スペースの伸縮をスムーズに行うことが可能となる。
【００３７】
また、各ゲート柱は、当止手段（０７１０、０７１１）を有する。ゲート柱相互の間隔の伸縮は、可動支持手段における支点のスライド幅によって規制される。ここで、例えば、ゲート柱相互の間隔を縮める方向に過度な力が作用すると、可動支持手段をはじめ棒状部材や不動支持手段にその力がかかり、それらが損傷するおそれが生じる。そのような損傷を防止するために、最も伸縮連結手段を縮めた状態で、ゲート柱相互の間隔がそれ以上狭められなくするために当止手段を有する。当止手段は、上記機能を果たし得るだけの硬度を備えるとともに、自身の損傷を低減するため可撓性を備える樹脂などを用いることが好ましい。このように構成することにより、ゲート柱相互の間隔を縮める方向に過度な力が作用した場合、当止手段においてもその力を受けるため、可動支持手段などの伸縮連結手段に作用する力を軽減させることが可能となる。
【００３８】
図示するように、可動支持手段はパンタグラフ状骨組みの上側の支点を支持し、不動支持手段はパンタグラフ状骨組みの下側の支点を支持するように構成することが好ましい。すなわち、仮設遮音装置を立設するときに、可動支持手段を路上などの接地面からより上方に配置することにより、可動支持手段に砂埃などが溜まりにくいようにするものである。このように構成することで、溜まった砂埃などにより可動支持手段の機能が損なわれることを防止することができる。
<実施形態３  効果>
【００３９】
本実施形態の仮設遮音装置により、トンネル状スペースの伸縮をスムーズに行うことができるとともに、伸縮を自在とするための機能が損傷することを防止することができる。
【符号の説明】
【００４０】
０１０１  仮設遮音装置
０１０２  ゲート柱
０１０３  幌
０１０４  仮設遮音装置
【図１】
2014040735.tif 000003
【図２】
2014040735.tif 000004
【図３】
2014040735.tif 000005
【図４】
2014040735.tif 000006
【図５】
2014040735.tif 000007
【図６】
2014040735.tif 000008
【図７】
2014040735.tif 000009